(57)【特許請求の範囲】
【請求項１】
収容スペースの上部の周りを囲うための上部フレームを含むカゴと、
前輪フレームと、
後輪フレームと、
前記前輪フレームと前記後輪フレームとを連結し、屈曲可能な連結リンクと、
前記上部フレームと、前記連結リンクの屈曲部と、を連結するための折り畳み用リンクと、
上下方向に配置され、前記カゴの後部を支持するカゴ支持部材と、を備え、
前記上部フレームを持ち上げることにより、前記カゴが前記カゴ支持部材を軸にして後上方に向かって折り畳まれるとともに、前記連結リンクが上側に屈曲することによって折り畳まれる、手押し車。
【請求項２】
前記連結リンクは、前記手押し車の使用時には下方へ向けて支点を乗り越え、
前記連結リンクは、前記手押し車の折り畳み時には上方へ向けて支点を乗り越える、請求項１に記載の手押し車。
【請求項３】
前記カゴの前面に配置され、前記カゴより上方まで達する部材をさらに備え、
前記部材の上部には、前記上部フレームの前部を上方に持ち上げるための把持部が形成される、請求項１または２に記載の手押し車。
【請求項４】
前記カゴの前面に配置され、前記カゴより上方まで達する部材をさらに備え、
前記部材の上部の背面は前記カゴの上方に載置される買い物カゴの前面に当接可能に構成される、請求項１または２に記載の手押し車。
【発明の詳細な説明】
【技術分野】
【０００１】
本発明は、手押し車の技術に関し、特に買い物カゴを載置可能な手押し車の技術または折り畳み可能な手押し車の技術に関する。
【背景技術】
【０００２】
従来から、高齢者の歩行を補助するための手押し車が知られている。そのような手押し車の中には、買い物カゴを載置することが可能なものがある。たとえば、特開２００３−４８５４４号公報（特許文献１）には、手押し車が開示されている。特許文献１によると、上面開口状の収容部を有する車本体と、該車本体を押すためのハンドルとを備えた手押し車において、収容部の上部で且つ後部に位置するように、支持部材が収容部に架設され、しかも、前記支持部材の接地面からの高さは、前記収容部に載置されるバスケットを支持する収容部の前面部の上面の高さよりも低く設定され、前記支持部材で前記バスケットの底部を支持し、且つ、収容部の後面部でバスケットの後面を支持できるようにしたことにある。
【先行技術文献】
【特許文献】
【０００３】
【特許文献１】特開２００３−４８５４４号公報
【発明の概要】
【発明が解決しようとする課題】
【０００４】
従来よりも効率的に買い物カゴを安定して載置することができる手押し車が求められている。本発明は、かかる要求に応えるためになされたものであり、その目的は、従来よりも買い物カゴを安定して載置することができる手押し車を提供することにある。
【課題を解決するための手段】
【０００５】
この発明のある局面に従うと、カゴと、前記カゴの前面に配置され、前記カゴより上方まで達する抑え部材とを備える手押し車が提供される。前記抑え部材は、その下部が前記カゴの下部近傍に枢支されることによって、その上部が前方へ所定の量だけ移動可能に構成される。当該上部の背面は前記カゴの上方に載置される買い物カゴの前面に当接可能に構成される。
【０００６】
好ましくは、手押し車は、前記カゴの上を前後方向に所定の距離だけスライドするフレームをさらに備える。前記フレームの前部が、前記抑え部材の上部に連結されている。
【０００７】
この発明の別の局面に従うと、カゴと、前記カゴの後面に配置され、前記カゴより上方まで達する抑え部材とを備える手押し車が提供される。前記抑え部材は、その下部が前記カゴの下部近傍に枢支されることによって、その上部が後方へ所定の量だけ移動可能に構成される。当該上部の前面は前記カゴの上方に載置される買い物カゴの後面に当接可能に構成される。
【０００８】
好ましくは、手押し車は、前記カゴの上を前後方向に所定の距離だけスライドするフレームをさらに備える。前記フレームの後部が、前記抑え部材の上部に連結されている。
【０００９】
好ましくは、前記フレームは、平面視略Ｕ字状に形成され、載置される前記買い物カゴの側部を支持する。
【００１０】
好ましくは、手押し車は、前記カゴの上を前後方向に所定の距離だけスライドするフレームをさらに備える。前記フレームは、平面視略Ｕ字状に形成され、載置される前記買い物カゴの側部を支持する。
【００１１】
この発明の別の局面に従うと、収容スペースの上部の周りを囲うための上部フレームを含むカゴと、前輪フレームと、後輪フレームと、前記前輪フレームと前記後輪フレームとを連結し、屈曲可能な連結リンクと、前記上部フレームと、前記連結リンクの屈曲部と、を連結するための折り畳み用リンクとを備える手押し車が提供される。手押し車は、前記上部フレームを持ち上げることにより前記連結リンクが屈曲することによって折り畳まれる。
【００１２】
好ましくは、前記連結リンクは、前記手押し車の使用時には下方へ向けて支点を乗り越える。前記連結リンクは、前記手押し車の折り畳み時には上方へ向けて支点を乗り越える。
【発明の効果】
【００１３】
以上のように、この発明によれば、従来よりも買い物カゴを安定して載置することができる手押し車が提供される。
【図面の簡単な説明】
【００１４】
【図１】第１の実施の形態にかかる手押し車１００の全体構成を示す斜視図である。
【図２】第１の実施の形態にかかる手押し車１００の買い物カゴを載置した状態の全体構成を示す斜視図である。
【図３】第１の実施の形態にかかる通常使用時の手押し車１００の全体構成を示す側面図である。
【図４】第１の実施の形態にかかるカゴ前フレーム１３７の後面の構造を示す斜視図である。
【図５】第１の実施の形態にかかる買い物カゴを載置可能な状態における手押し車１００の全体構成を示す側面図である。
【図６】第１の実施の形態にかかる買い物カゴを載置可能な状態の手押し車１００のカゴ１３０の周囲の拡大斜視図である。
【図７】第１の実施の形態にかかる手押し車１００の折り畳みの途中の状態を示す側面図である。
【図８】第１の実施の形態にかかる手押し車１００の折り畳み完了時の状態を示す側面図である。
【図９】第３の実施の形態にかかる手押し車１００の全体構成を示す斜視図である。
【図１０】第３の実施の形態にかかる手押し車１００の買い物カゴを載置した状態の全体構成を示す斜視図である。
【図１１】第３の実施の形態にかかる買い物カゴを載置可能な状態の手押し車１００のカゴ１３０の周囲の拡大斜視図である。
【図１２】第４の実施の形態にかかる手押し車１００の全体構成を示す斜視図である。
【図１３】第４の実施の形態にかかる手押し車１００の買い物カゴを載置した状態の全体構成を示す斜視図である。
【図１４】第４の実施の形態にかかる買い物カゴを載置可能な状態の手押し車１００のカゴ１３０の周囲の拡大斜視図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
［第１の実施の形態］
＜手押し車の概要＞
【００１６】
まずは、図１および図２を参照して、本実施の形態にかかる手押し車１００の概要について説明する。なお、図１は、本実施の形態にかかる手押し車１００の全体構成を示す斜視図である。図２は、本実施の形態にかかる手押し車１００の買い物カゴ２００を載置した状態の全体構成を示す斜視図である。
【００１７】
図１に示すように、本実施の形態にかかる手押し車１００は、主に、前輪１４１Ｌ，１４１Ｒと、後輪１４２Ｌ，１４２Ｒと、ハンドル１１０と、座部１２０と、カゴ１３０とを有する。そして使用者は、ハンドル１１０を握って手押し車１００を押しながら歩くことができるし、座部１２０を持ち上げてカゴ１３０に荷物を入れることができるし、座部１２０を下して座ることもできる。
【００１８】
特に、本実施の形態にかかる手押し車１００は、図２に示すように、カゴ１３０の上に、買い物カゴ２００を載置することができる。これによって、使用者は、手押し車１００を押して店舗に入った際に、買い物カゴ２００を手で持つ必要がないし、手押し車１００とは別にショッピングカートを押す必要もない。以下では、本実施の形態にかかる手押し車１００の構成について詳細に説明する。
【００１９】
なお、以下では、使用車が押して歩く状態を手押し車１００の通常状態という。カゴ１３０の上に買い物カゴ２００を載置する状態を載置状態という。前後方向にコンパクトに折り畳んだ状態を折り畳み状態という。
＜手押し車の全体構成＞
【００２０】
図１〜図３を参照して手押し車１００の全体構成について説明する。なお、図３は、本実施の形態にかかる手押し車１００の全体構成を示す側面図である。
【００２１】
本実施の形態にかかる手押し車１００は、一対の前輪フレーム１５１Ｌ，１５１Ｒと、一対の後輪フレーム１５２Ｌ，１５２Ｒとを有する。前輪フレーム１５１Ｌ，１５１Ｒのそれぞれの下端部には、一対の前輪１４１Ｌ，１４１Ｒが取り付けられている。後輪フレーム１５２Ｌ，１５２Ｒのそれぞれの下端部には、一対の後輪１４２Ｌ，１４２Ｒが取り付けられている。
【００２２】
左側の前輪フレーム１５１Ｌの上端部と後輪フレーム１５２Ｌの上端部とは、連結部材１５４Ｌに連結されている。連結部材１５４Ｌには、略垂直方向に縦フレーム１５３Ｌが挿通されており、複数箇所で固定可能に構成されている。同様に、右側の前輪フレーム１５１Ｒの上端部と後輪フレーム１５２Ｒの上端部とは、連結部材１５４Ｒに連結されている。連結部材１５４Ｒには、略垂直方向に縦フレーム１５３Ｒが挿通されており、複数箇所で固定可能に構成されている。使用者は、連結部材１５４Ｌ，１５４Ｒに対する縦フレーム１５３Ｌ，１５３Ｒの差し込み量を調節することによって、後述するハンドル１１０の高さを自分に合った高さに調節することができる。
【００２３】
縦フレーム１５３Ｌ，１５３Ｒの上端部には、ハンドル１１０が取り付けられている。ハンドル１１０は、平面視Ｕ字状に構成されており、左右の後端部には、にぎり部１１１Ｌ，１１１Ｒが設けられている。それぞれのにぎり部１１１Ｌ，１１１Ｒの下方には、ブレーキレバー１１２Ｌ，１１２Ｒが設けられている。
【００２４】
連結部材１５４Ｌ，１５４Ｒの後部には、座部１２０が回動可能に設けられている。本実施の形態においては、使用者は、座部１２０を後方に倒して、座部１２０に座ることができる。逆に、使用者は、座部１２０を上方に持ち上げて、ハンドル１１０を握って歩くこともできる。
【００２５】
前輪フレーム１５１Ｌ，１５１Ｒ間には、下横フレーム１５９が連結されている。そして、連結部材１５４Ｌ，１５４Ｒや下横フレーム１５９や前輪フレーム１５１Ｌ，１５１Ｒなどによって、カゴ１３０が保持される。
【００２６】
より詳細には、カゴ１３０は、底部１３１と、カゴ１３０の収容スペースの前面・側面・後面を囲うための水平な複数の側部フレーム１３２，１３２・・・と、カゴ１３０の収容スペースの上部の前面・側面・後面を囲うための水平な上側部フレーム１３４と、側部フレーム１３２，１３２・・・の前面を支持する前フレーム１３３，１３３と、側部フレーム１３２，１３２・・・の後面を支持する後フレーム１３９，１３９とを含む。
【００２７】
本実施の形態においては、連結部材１５４Ｌ，１５４Ｒの前部に、カゴ１３０の上側部フレーム１３４の左右の後端部が枢支される。
【００２８】
そして、連結部材１５４Ｌ，１５４Ｒのそれぞれの前部には、下方に向けてカゴ支持部材１６５，１６５が固設されている。カゴ支持部材１６５，１６５は、右側面視においてト字状に形成されたフレームである。カゴ支持部材１６５，１６５は、その上端部が連結部材１５４Ｌ，１５４Ｒの前部に固定され、前方に伸びた部分が前輪フレーム１５１Ｌ，１５１Ｒに固定され、その下端部がカゴ１３０の底部１３１の後端部に枢支される。
【００２９】
なお、カゴ１３０の底部１３１の後端部の中央は後フレーム１３９，１３９に回動可能に連結され、前フレーム１３３，１３３はカゴ１３０の底部１３１の前端部に回動可能に連結される。
＜買い物カゴ載せ機構＞
【００３０】
そして、上側部フレーム１３４の左部および右部には上方に向けてスライド用部材１３６Ｌ，１３６Ｒが固設されている。そして、上側部フレーム１３４の上方には、スライド用部材１３６Ｌ，１３６Ｒにスライド可能に挿通されるＵ字状部材１３５が配置される。Ｕ字状部材１３５には、平面視Ｕ字状に構成されている。
【００３１】
Ｕ字状部材１３５の後部には、横パイプ１３８が、手押し車１００の左右方向に向けて、上側部フレーム１３４の後部の内側に連結されている。
【００３２】
カゴ１３０の底部１３１の前端には、直接的または間接的に、略板状のカゴ前フレーム１３７が回動可能に取り付けられる。カゴ前フレーム１３７は、手押し車１００の前後方向に回動可能に、すなわち手押し車１００の左側面視において半時計方向に回動可能に取り付けられる。
【００３３】
ここで、図４は、本実施の形態にかかるカゴ前フレーム１３７の背面側の構造を示す斜視図である。図１〜図４を参照して、カゴ前フレーム１３７の上部の背面には、Ｕ字状部材１３５の前部１３５Ｘが挿通される挿通口１３７Ａが形成される。挿通口１３７Ａは、上下方向に長い長穴に形成されている。
【００３４】
カゴ前フレーム１３７の中部の背面には、後方に向かって、カゴ前フレーム１３７を前フレーム１３３，１３３に係止するための係止部材１３７Ｂ，１３７Ｂが設けられる。手押し車１００の通常状態や折り畳み状態においては、係止部材１３７Ｂ，１３７Ｂを前フレーム１３３，１３３に引っかけることによって、カゴ前フレーム１３７を前フレーム１３３，１３３に固定する。
【００３５】
カゴ前フレーム１３７の上端部には、カゴ前フレーム１３７を回動させる際に指を掛けるためのにぎり穴１３７Ｃが形成されている。
【００３６】
次に、図５および図６を参照しながら、カゴ１３０の上に、買い物カゴ２００を載置するための構成について説明する。なお、図５は、本実施の形態にかかる買い物カゴ２００を載置可能な状態における手押し車１００の全体構成を示す側面図である。図６は、本実施の形態にかかる買い物カゴ２００を載置可能な状態の手押し車１００のカゴ１３０の周囲の拡大斜視図である。
【００３７】
本実施の形態においては、使用者は、座部１２０を持ち上げた状態で、カゴ前フレーム１３７のにぎり穴１３７Ｃに指を入れて、カゴ前フレーム１３７を前フレーム１３３，１３３から取り外し、カゴ前フレーム１３７を前方に回動させる。ただし、使用者は、カゴ前フレーム１３７を単に後方から前方に押すことによって、カゴ前フレーム１３７の係止部材１３７Ｂ，１３７Ｂを前フレーム１３３，１３３から外して、カゴ前フレーム１３７を前下方へ回動させることも可能である。
【００３８】
この際、カゴ前フレーム１３７の回動に伴って、Ｕ字状部材１３５が、スライド用部材１３６Ｌ，１３６Ｒに案内されることによって、上側部フレーム１３４と平行に前方に摺動する。上述した通り、カゴ前フレーム１３７の挿通口１３７Ａは、上下方向に長い長穴である。このような構成により、カゴ前フレーム１３７が前下方に回動するにしたがって、Ｕ字状部材１３５の前部が挿通口１３７Ａ内を相対的に上方に移動することができる。逆にカゴ前フレーム１３７が向上方に回動するにしたがって、Ｕ字状部材１３５の前部が挿通口１３７Ａ内を相対的に下方に移動することができる。その結果、Ｕ字状部材１３５は、スライド用部材１３６Ｌ，１３６Ｒに沿って上側部フレーム１３４と平行に水平にスライドすることが可能である。
【００３９】
カゴ前フレーム１３７の前下方への回動と、Ｕ字状部材１３５の前方への摺動とは、Ｕ字状部材１３５の後部の横パイプ１３８がスライド用部材１３６Ｌ，１３６Ｒに当接したところで、停止される。
【００４０】
ただし、カゴ前フレーム１３７の前下方への回動を所定の角度または距離で停止させるための構成は、横パイプ１３８がスライド用部材１３６Ｌ，１３６Ｒに当接する構成には限られない。たとえば、カゴ前フレーム１３７の上部と上側部フレーム１３４の前部とをロープでつないでもよいし、カゴ前フレーム１３７の下部の回動軸の近傍にカゴ前フレーム１３７の回動を抑制するための構造を備えてもよい。
【００４１】
この状態において、使用者は、図２に示すように、横パイプ１３８の上に買い物カゴ２００を載置することができる。あるいは、Ｕ字状部材１３５の上に買い物カゴ２００を載置することができる。
【００４２】
あるいは、平面視において、Ｕ字状部材１３５を上側部フレーム１３４よりも一回り大きく形成することによって、横パイプ１３８と上側部フレーム１３４との上に買い物カゴ２００を載置することができる。
【００４３】
本実施の形態にかかる手押し車１００に関しては、カゴ前フレーム１３７の上部の背面によって買い物カゴ２００の前面を抑えることができるため、カゴ１３０上に載置された買い物カゴが安定する。なおカゴ前フレーム１３７の上部の背面で買い物カゴ２００の前面を支えればよく、挿通口１３７Ａの裏側で買い物カゴ２００の前面を抑える構成であってもよいし、挿通口１３７Ａよりもさらに上側など、挿通口１３７Ａの裏側以外のカゴ前フレーム１３７の上部の背面によって買い物カゴ２００の前面を抑える構成であってもよい。
【００４４】
より好ましくは、スライド用部材１３６Ｌ，１３６Ｒが、買い物カゴ２００の側面に当接可能に構成することによって、カゴ１３０上に載置された買い物カゴをより安定させることができる。
【００４５】
あるいは、Ｕ字状部材１３５の側部が、買い物カゴ２００の側面に当接可能に構成することによって、カゴ１３０上に載置された買い物カゴをより安定させることができる。
【００４６】
あるいは、上側部フレーム１３４の側部が、買い物カゴ２００の側面に当接可能に構成することによって、カゴ１３０上に載置された買い物カゴをより安定させることができる。
【００４７】
そして、本実施の形態においては、座部１２０が持ち上がった状態においては、座部１２０が買い物カゴ２００の背面に当接可能に構成される。これによって、カゴ１３０上に載置された買い物カゴをより安定させることができる。
【００４８】
あるいは、上側部フレーム１３４の後部が、買い物カゴ２００の背面に当接可能に構成することによって、カゴ１３０上に載置された買い物カゴをより安定させることができる。
【００４９】
つまり、好ましくは、カゴ前フレーム１３７の背面によって買い物カゴ２００の前面を、座部１２０または上側部フレーム１３４の後部によって買い物カゴの背面を、スライド用部材１３６Ｌ，１３６ＲまたはＵ字状部材１３５または上側部フレーム１３４の側部によって買い物カゴ２００の側面を支持することによって、買い物カゴ２００を縦向きに載置しつつ、四方から安定して買い物カゴ２００を支えることが可能になる。
＜折り畳み機構＞
【００５０】
次に、図３、図７、図８を参照して、本実施の形態にかかる手押し車１００の折り畳み機構について説明する。なお、図７は、本実施の形態にかかる手押し車１００の折り畳みの途中の状態を示す側面図である。図８は、本実施の形態にかかる手押し車１００の折り畳み完了時の状態を示す側面図である。
【００５１】
まず、前輪フレーム１５１Ｌと後輪フレーム１５２Ｌとは、連結リンク１６２Ｌで連結されている。同様に、前輪フレーム１５１Ｒと後輪フレーム１５２Ｒとも、図示しない連結部材で連結されている。本実施の形態においては、左右の連結リンク１６２Ｌの各々は、前部材１６２Ａと後部材１６２Ｂとが回動可能に連結されて構成されるものである。すなわち、左右の連結リンク１６２Ｌの各々は、略中央の屈曲部、すなわち前部材１６２Ａと後部材１６２Ｂとの連結部、において屈曲可能に構成されている。
【００５２】
そして、カゴ１３０の上部の上側部フレーム１３４の左部と、左の連結リンク１６２Ｌの前部材１６２Ａの略中央部または後部とが、折り畳み用リンク１６３Ｌによって連結される。同様に、カゴ１３０の上部の上側部フレーム１３４の右部と、右の連結部材の前部材の略中央部または後部とが、折り畳み用リンク１６３Ｒによって連結される。
【００５３】
これによって、使用者が、カゴ前フレーム１３７のにぎり穴１３７Ｃを握って、カゴ前フレーム１３７を上に持ち上げると、図７に示すように、Ｕ字状部材１３５や上側部フレーム１３４や前フレーム１３３が後上方に回動する。そして、折り畳み用リンク１６３Ｌ，１６３Ｒを介して連結リンク１６２が屈曲するとともに、前フレーム１３３，１３３を介してカゴ１３０の底部１３１の前部が後上方へ回動する。
【００５４】
さらに使用者が、カゴ前フレーム１３７のにぎり穴１３７Ｃを握って、カゴ前フレーム１３７を上に持ち上げると、図８に示すように、Ｕ字状部材１３５や上側部フレーム１３４や前フレーム１３３がさらに後上方に回動する。そして、折り畳み用リンク１６３Ｌ，１６３Ｒを介して連結リンク１６２がさらに屈曲するとともに、前フレーム１３３，１３３を介してカゴ１３０の底部１３１の前部がさらに上後方へ回動する。
【００５５】
これによって、手押し車１００の前後方向にコンパクトに折り畳まれる。
【００５６】
なお、上述したように、本実施の形態においては、左右の縦フレーム１５３Ｌ，１５３Ｒのそれぞれが、連結部材１５４Ｌ，１５４Ｒに対して挿通し、複数箇所で固定することが可能になっている。すなわち、図３に示す状態から図８に示す状態へ、またはその逆の方向に、使用者が、ハンドル１１０の高さを所望の位置に調整することができる。これによって、手押し車１００は、上下方向に対してもコンパクトに変形させることが可能である。
【００５７】
より詳細には、本実施の形態にかかる手押し車１００は、手押し車１００の使用状態における、連結リンク１６２Ｌ，１６２Ｒの前輪フレーム１５１Ｌ，１５１Ｒとの連結部から、連結リンク１６２Ｌ，１６２Ｒの後輪フレーム１５２Ｌ，１５２Ｒとの連結部までの距離が、全く屈曲していない連結リンク１６２Ｌ，１６２Ｒの長さよりも短く形成されている。そして、手押し車１００の使用状態においては、連結リンク１６２Ｌ，１６２Ｒが下に凸の状態となるように構成されている。
【００５８】
つまり、手押し車１００を使用状態から折り畳み状態へ移行させる際には、一端、連結リンク１６２Ｌ，１６２をまっすぐな状態にしてから上方に凸状態となるようにする必要があるため、不意に手押し車１００が折り畳まれてしまう可能性を低減することができる。
［第２の実施の形態］
【００５９】
第１の実施の形態にかかるＵ字状部材１３５は、パイプ状に構成されている。しかしながら、Ｕ字状部材１３５は、単なる棒状であってもよいし、フレームが折り曲げられたものであってもよい。
【００６０】
また、第１の実施の形態においては、カゴ前フレーム１３７の上部がＵ字状部材１３５に連結され、Ｕ字状部材１３５のスライドを横パイプ１３８とスライド用部材１３６Ｌ，１３６Ｒによって規制するものであった。しかしながら、カゴ前フレーム１３７の前方への回動を規制するための構成は、そのようなものに限られず、所定の長さのロープによってカゴ前フレーム１３７の上部と上側部フレーム１３４とを連結するものであってもよい。あるいは、カゴ前フレーム１３７の下部の回動軸の周囲に、カゴ前フレーム１３７の回動を所定の量に制限する部材を設けてもよい。
［第３の実施の形態］
【００６１】
第１および第２の実施の形態においては、カゴ前フレーム１３７すなわち抑え部材がカゴ１３０の前面に設けられるものであった。しかしながら、抑え部材は、カゴ１３０の後面に設けられるものであってもよい。
【００６２】
たとえば、図９〜図１１に示すように、座部１４０を取り外して、カゴ後フレーム１３７２をカゴ１３０の下部の後端部周辺に回動可能に取り付けてもよい。この場合は、ユーザは、カゴ後フレーム１３７２を後方に傾けることによって、買い物カゴ２００をカゴ１３０の上に乗せることができる。当然に、Ｕ字状部材１３５２は、後方へ所定の距離だけスライドして停止される構成となっている。
【００６３】
なお、この場合は、座部１４０をカゴ１３０の上面に取り付けてもよい。より詳細には、座部１４０を、カゴ１３０の上部の前端部の周辺に回動可能に設けてもよい。そして、買い物カゴ２００は、倒した座部１４０の上面に載置されるものであってもよいし、座部１４０を持ち上げた状態で上側部フレーム１３４などに載置されるものであってもよい。
［第４の実施の形態］
【００６４】
さらには、図１２〜図１４に示すように、カゴ前フレーム１３７をカゴ１３０の下部の前端部周辺に回動可能に取り付けつつ、座部１４０を取り外して、カゴ後フレーム１３７２をカゴ１３０の下部の後端部周辺に回動可能に取り付けてもよい。この場合は、ユーザは、カゴ前フレーム１３７を前方に傾けつつ、カゴ後フレーム１３７２を後方に傾けることによって、買い物カゴ２００をカゴ１３０の上に乗せることができる。
【００６５】
より詳細には、この場合は、カゴ前フレーム１３７の回動を制止するためのＵ字状部材１３５と、カゴ後フレーム１３７２の回動を制止するためのＵ字状部材１３５２と、は入れ子構造にすることが好ましい。たとえば、一方のＵ字状部材１３５，１３５２の内側に他方の一方のＵ字状部材１３５，１３５２をスライド可能に挿入してもよい。
【００６６】
あるいは、カゴ前フレーム１３７の回動を制止するためのＵ字状部材１３５と、カゴ後フレーム１３７２の回動を制止するためのＵ字状部材１３５２と、は左右方向にずらして配置してもいし、上下方向や斜め方向にずらして配置するものであってもよい。
＜まとめ＞
【００６７】
以上のように、第１〜第４の実施の形態にかかる手押し車１００は、カゴ１３０と、カゴ１３０の前面に配置され、カゴ１３０より上方まで達する抑え部材１３７とを備える手押し車１００が提供される。抑え部材１３７は、その下部がカゴ１３０の下部近傍に枢支されることによって、その上部が前方へ所定の量だけ移動可能に構成され、それによって当該上部の背面がカゴ１３０の上方に載置される買い物カゴ２００の前面に当接可能に構成される。
【００６８】
好ましくは、手押し車１００は、カゴ１３０の上を前後方向に所定の距離だけスライドするフレーム１３５をさらに備える。フレーム１３５の前部が、抑え部材１３７の上部１３７Ａに連結されている。
【００６９】
また、第３および第４の実施の形態にかかる手押し車１００は、カゴ１３０と、カゴ１３０の後面に配置され、カゴ１３０より上方まで達する抑え部材１３７２とを備える手押し車１００が提供される。抑え部材１３７２は、その下部がカゴ１３０の下部近傍に枢支されることによって、その上部が後方へ所定の量だけ移動可能に構成される。当該上部の前面はカゴ１３０の上方に載置される買い物カゴ２００の後面に当接可能に構成される。
【００７０】
好ましくは、手押し車１００は、カゴ１３０の上を前後方向に所定の距離だけスライドするフレーム１３５をさらに備える。フレーム１３５の後部が、抑え部材１３７２の上部に連結されている。
【００７１】
好ましくは、フレーム１３５は、平面視略Ｕ字状に形成され、載置される買い物カゴ２００の側部を支持する。
【００７２】
好ましくは、手押し車１００は、カゴ１３０の上を前後方向に所定の距離だけスライドするフレーム１３５をさらに備える。フレーム１３５は、平面視略Ｕ字状に形成され、載置される買い物カゴ２００の側部を支持する。
【００７３】
また、第１〜第４の実施の形態にかかる手押し車１００は、収容スペースの上部の周りを囲うための上側部フレーム１３４を含むカゴ１３０と、前輪フレーム１５１Ｌ，１５１Ｒと、後輪フレーム１５２Ｌ，１５２Ｒと、前輪フレーム１５１Ｌ，１５１Ｒと後輪フレーム１５２Ｌ，１５２Ｒとを連結し、屈曲可能な連結リンク１６２Ｌ，１６２Ｒと、上側部フレーム１３４と、連結リンク１６２Ｌ，１６２Ｒの屈曲部と、を連結するための折り畳み用リンク１６３Ｌ，１６３Ｒとを備える手押し車１００が提供される。手押し車１００は、上側部フレーム１３４を持ち上げることにより連結リンク１６２Ｌ，１６２Ｒが屈曲することによって折り畳まれる。
【００７４】
好ましくは、連結リンク１６２Ｌ，１６２Ｒは、手押し車１００の使用時には下方へ向けて支点を乗り越える。連結リンク１６２Ｌ，１６２Ｒは、手押し車１００の折り畳み時には上方へ向けて支点を乗り越える。
【００７５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７６】
１００    ：手押し車
１１０    ：ハンドル
１２０    ：座部
１３０    ：カゴ
１３１    ：底部
１３２    ：側部フレーム
１３３    ：前フレーム
１３４    ：上側部フレーム
１３５    ：パイプ（Ｕ字状部材）
１３５２  ：パイプ（Ｕ字状部材）
１３５Ｘ  ：前部
１３６Ｌ，１３６Ｒ  ：スライド用部材
１３７    ：カゴ前フレーム（抑え部材）
１３７２  ：カゴ後フレーム（抑え部材）
１３７Ａ  ：上部（挿通口）
１３７Ｂ  ：係止部材
１３７Ｃ  ：にぎり穴
１３８    ：横パイプ
１３９    ：後フレーム
１４１Ｌ，１４１Ｒ  ：前輪
１４２Ｌ，１４２Ｒ  ：後輪
１５１Ｌ，１５１Ｒ  ：前輪フレーム
１５２Ｌ，１５２Ｒ  ：後輪フレーム
１５３Ｌ，１５３Ｒ  ：縦フレーム
１５４Ｌ，１５４Ｒ  ：連結部材
１５９    ：下横フレーム
１６２Ａ  ：前部材
１６２Ｂ  ：後部材
１６２Ｌ，１６２Ｒ  ：連結リンク
１６３Ｌ，１６３Ｒ  ：折り畳み用リンク
１６５    ：カゴ支持部材
２００    ：買い物カゴ
【図１】
0006457024.tif 000002
【図２】
0006457024.tif 000003
【図３】
0006457024.tif 000004
【図４】
0006457024.tif 000005
【図５】
0006457024.tif 000006
【図６】
0006457024.tif 000007
【図７】
0006457024.tif 000008
【図８】
0006457024.tif 000009
【図９】
0006457024.tif 000010
【図１０】
0006457024.tif 000011
【図１１】
0006457024.tif 000012
【図１２】
0006457024.tif 000013
【図１３】
0006457024.tif 000014
【図１４】
0006457024.tif 000015